(57)【要約】【課題】自己のＩＰアドレスを簡単に確認する。【解決手段】ルータ７に接続するためのサーバー側ＬＡＮ−Ｉ／Ｆ３１と、ＷｅｂページのＨＴＭＬファイル及び画像ファイル等を記憶するＷｅｂページメモリ３２と、ルータ７により割り当てられた自己のプライベートＩＰアドレスを記憶するＩＰアドレスメモリ３３と、ＩＰアドレスメモリ３３に記憶された自己のプライベートＩＰアドレスを１０進表記で表示するＩＰアドレス表示部３４と、ＩＰアドレス表示部３４による自己のＩＰアドレスの表示状態を、表示または非表示のいずれか一方に切り替える表示切替操作ボタン３５と、クライアント端末５へのＷｅｂページの配信制御、およびＩＰアドレス表示部３４によるプライベートＩＰアドレスの表示制御等を行うサーバー制御部３６と、を設けた。【選択図】図２
2010039541.tif 000002
【特許請求の範囲】
【請求項１】
Ｗｅｂブラウザを備えたクライアント端末にネットワークを介して相互通信可能に接続され、前記Ｗｅｂブラウザから送信されたＵＲＬに応答して、閲覧要求の対象となる所定のＷｅｂページを前記クライアント端末に配信する自己ＩＰ表示型Ｗｅｂサーバーにおいて、
Ｗｅｂサーバー本体は、
自己のＩＰアドレスを表示するＩＰアドレス表示手段を備える、
ことを特徴とする自己ＩＰ表示型Ｗｅｂサーバー。
【請求項２】
前記Ｗｅｂサーバー本体は、
前記ＩＰアドレス表示手段による自己のＩＰアドレスの表示状態を表示または非表示のいずれか一方に切り替える表示切替操作手段を備える、
請求項１に記載の自己ＩＰ表示型Ｗｅｂサーバー。
【請求項３】
前記Ｗｅｂサーバー本体は、
商用電源をブレーカを介して配電する配電盤内に設けられる、
請求項１または２に記載の自己ＩＰ表示型Ｗｅｂサーバー。
【発明の詳細な説明】
【技術分野】
【０００１】
本発明は、自己ＩＰ表示型Ｗｅｂサーバーに関する。
【背景技術】
【０００２】
Ｗｅｂサーバーは、ネットワークを介してクライアント端末に接続され、所定のＷｅｂページをクライアント端末で閲覧可能に構成されている。クライアント端末で所定のＷｅｂページを閲覧する場合、特許文献１に開示されているように、ユーザーは、Ｗｅｂブラウザを起動し、所定のＵＲＬを入力して閲覧要求する。
したがって、閲覧に必要なＵＲＬを忘れたり、ＷｅｂサーバーのＩＰアドレスを間違って設定した場合やＤＨＣＰによってＷｅｂサーバーのＩＰアドレスが自動設定されていて設定されたＩＰアドレスが分からない場合、Ｗｅｂサーバーは閲覧できない。こうした状況に対応するため、クライアント側で特別な処理を行う方法が特許文献１に開示されている。
【０００３】
【特許文献１】特開２００８−１６５２７６号公報
【発明の開示】
【発明が解決しようとする課題】
【０００４】
しかし、閲覧に必要なＵＲＬを忘れたり、ＷｅｂサーバーのＩＰアドレスを間違って設定した場合やＤＨＣＰによってＷｅｂサーバーのＩＰアドレスが自動設定されていて設定されたＩＰアドレスが分からない場合であっても、ＷｅｂサーバーのＩＰアドレスを確認する方法があれば、特許文献１に記載された特別な処理を行うことなく、目的のＷｅｂページを閲覧可能になる。
【０００５】
ただ、コンソールを利用する方法でＩＰアドレスを確認するには、ユーザーにはＯＳの操作を行うことができる程度のスキルが要求され、またＯＳの管理者パスワードを知っている必要があり、これらは困難な作業であった。またＷｅｂサーバー本体の設定を工場出荷状態に戻す方法では、せっかく入力した設定情報を一から入力し直す必要があった。
【０００６】
また、その他の課題として、Ｗｅｂサーバーを特に一般家庭宅内に設置する場合には、一般ユーザーが設置済みのＷｅｂサーバー本体を積極的に直接操作することはほとんどないため、Ｗｅｂサーバー本体の設置場所をデッドスペースとすることが望まれていた。
【０００７】
そこで、本発明では上記課題を鑑み、常時、または必要時に自己のＩＰアドレスを特別な手間をかけること無く簡単に表示でき、設置場所をデッドスペースに確保できる自己ＩＰ表示型Ｗｅｂサーバーの提供を課題とする。
【課題を解決するための手段】
【０００８】
上記課題を解決するため、請求項１の発明は、Ｗｅｂブラウザを備えたクライアント端末にＴＣＰ／ＩＰで規定されたネットワークを介して相互通信可能に接続され、前記Ｗｅｂブラウザから送信されたＵＲＬに応答して、閲覧要求の対象となる所定のＷｅｂページを前記クライアント端末に配信する自己ＩＰ表示型Ｗｅｂサーバーにおいて、Ｗｅｂサーバー本体が、自己のＩＰアドレスを表示するＩＰアドレス表示手段を備えるように構成される。
【０００９】
請求項２の発明は、請求項１において、前記Ｗｅｂサーバー本体が、前記ＩＰアドレス表示手段による自己のＩＰアドレスの表示状態を表示または非表示のいずれか一方に切り替える表示切替操作手段を備えるように構成される。
【００１０】
請求項３の発明は、請求項１または２において、前記Ｗｅｂサーバー本体を、商用電源をブレーカを介して配電する配電盤内に設けるように構成される。
【発明の効果】
【００１１】
請求項１の発明によれば、ＷｅｂサーバーのＩＰアドレスをＩＰアドレス表示手段に何時でも表示させることができる。したがって、ユーザーが閲覧したいＷｅｂページのＵＲＬを忘れたり、ＷｅｂサーバーのＩＰアドレスを間違って設定した場合やＤＨＣＰによってＷｅｂサーバーのＩＰアドレスが自動設定されていて設定されたＩＰアドレスが分からない場合であっても、ＩＰアドレス表示手段を見れば、特別な手間をかけること無く簡単にＷｅｂサーバーのＩＰアドレスが確認でき、目的のＷｅｂページを閲覧可能になる。
【００１２】
請求項２の発明によれば、必要な時にだけＩＰアドレスを表示でき、無駄な電力消費を抑えることができる。
【００１３】
請求項３の発明によれば、Ｗｅｂサーバ本体を配電盤内に設けたので、Ｗｅｂサーバー本体を目立たなくすることができる。
【発明を実施するための最良の形態】
【００１４】
以下、本発明に係る自己ＩＰ表示型Ｗｅｂサーバーの実施形態の一例を図面に基づいて説明する。図１は、本Ｗｅｂサーバーを使用したＷｅｂページ閲覧システムを示す構成説明図である。
Ｗｅｂページ閲覧システム１は、閲覧要求の対象となるＷｅｂページを配信するＷｅｂサーバー３と、閲覧要求により配信されたＷｅｂページを閲覧するクライアント端末５，６と、Ｗｅｂサーバー３とクライアント端末５とを同一ネットワーク内で相互にデータ通信可能に接続するとともに、インターネット１３等の他のネットワークを介したクライアント端末６に接続するためのルータ７とを備えて構成されている。本システム１は同一宅内に設置され、Ｗｅｂサーバー３とクライアント端末５は、ルータ７を介してネットワークケーブルで接続されている。
【００１５】
このＷｅｂページ閲覧システム１は、Ｗｅｂサーバー３、クライアント端末５，６、およびルータ７をホストとして、いわゆるＴＣＰ／ＩＰネットワークにより相互通信可能とする。またアプリケーション層にはＨＴＴＰを使用する。またルータ７は、同一ネットワーク内のＷｅｂサーバー３およびクライアント端末５が個々のＤＨＣＰ機能を有効にした状態で、それぞれに対して、プライベートＩＰアドレスを動的に割り当てるものとする。尚、ルータ７は、無線でもＷｅｂサーバー３、クライアント端末５と相互通信接続が可能である。
【００１６】
図２に示すように、Ｗｅｂサーバー３は、ネットワークケーブルを挿抜可能に接続するためのサーバー側ＬＡＮ−Ｉ／Ｆ３１と、ＷｅｂページのＨＴＭＬファイル及び画像ファイル等を記憶するＷｅｂページメモリ３２と、ルータ７により割り当てられた自己のプライベートＩＰアドレスを記憶するＩＰアドレスメモリ３３と、ＩＰアドレスメモリ３３に記憶された自己のプライベートＩＰアドレスを１０進表記（例えば、「１９２．１６８．０．１」等）で表示するＩＰアドレス表示手段としてのＩＰアドレス表示部３４と、ＩＰアドレス表示部３４による自己のＩＰアドレスの表示状態を、表示または非表示のいずれか一方に切り替える表示切替手段としての表示切替操作ボタン３５と、所定のＯＳによって、クライアント端末５，６へのＷｅｂページの配信制御、およびＩＰアドレス表示部３４によるプライベートＩＰアドレスの表示制御等を行うサーバー制御部３６と、から構成されている。
【００１７】
Ｗｅｂサーバー３は、Ｗｅｂページメモリ３２、ＩＰアドレスメモリ３３、およびサーバー制御部３５をサーバー本体１１内に収納して構成されている。サーバー本体１１は、配電盤９内に収納可能な外形寸法の箱状に形成されている。ＩＰアドレスメモリ３３には、ルータ７によるプライベートＩＰアドレスの割り当ての際、ネットワークへの接続確認処理のタイミングで送信されたプライベートＩＰアドレスが記憶される。サーバー側ＬＡＮ−Ｉ／Ｆ３１は、ネットワークケーブルを挿抜可能に接続するコネクタとして、サーバー本体１１の表面に接続口が露出した状態で設けられている。ＩＰアドレス表示部３４は、サーバー本体１１の表面において表示されたプライベートＩＰアドレスをユーザーが読み取り可能な位置に設けられている。また表示切替操作ボタン３５は、ユーザーが切替操作可能な位置であって、ＩＰアドレス表示部３４に付設されている。
【００１８】
クライアント端末５は、所定のＯＳ上でＷｅｂブラウザを起動可能とする端末制御部５１と、ネットワークケーブルを挿抜可能に接続するためのユーザー側ＬＡＮ−Ｉ／Ｆ５２と、起動したＷｅｂブラウザおよび配信されたＷｅｂページを表示するディスプレイ５３およびキーボード等の周辺機器５４とを備えて構成されている。
【００１９】
上記構成のシステム１において、同一ネットワーク内でＷｅｂページを閲覧する場合、ユーザーは、クライアント端末５において、周辺機器５４を操作し、起動したＷｅｂブラウザによって、Ｗｅｂサーバー３のプライベートＩＰアドレスを含む閲覧したいＷｅｂページのＵＲＬを送信する。応答したＷｅｂサーバー３は、Ｗｅｂページメモリ３２から対応するＨＴＭＬファイルと画像ファイル等を読み出しクライアント端末５へ配信する。クライアント端末５は配信されたファイルによってＷｅｂページをディスプレイ５３に表示する。この時、Ｗｅｂサーバー３のＩＰアドレスメモリ３３には、ルータ７で割り当てられたプライベートＩＰアドレスが記憶されている。ＩＰアドレス表示部３４は、表示切替操作ボタン３５の押下による切替操作に応じて、ＩＰアドレスメモリ３３から読み出した自己のプライベートＩＰアドレスを表示または非表示にする。
【００２０】
上記構成のＷｅｂサーバー３によれば、自己のプライベートＩＰアドレスをＩＰアドレス表示部３４に表示させることができる。したがって、ユーザーが閲覧したいＷｅｂページのＵＲＬを忘れたり、ＷｅｂサーバーのＩＰアドレスを間違って設定した場合やＤＨＣＰによってＷｅｂサーバーのＩＰアドレスが自動設定されていて設定されたＩＰアドレスが分からない場合であっても、ＩＰアドレス表示手段を見れば、特別な手間をかけること無く簡単にＷｅｂサーバーのＩＰアドレスが確認でき、目的のＷｅｂページを閲覧可能になる。
【００２１】
また、表示切替操作ボタン３５を備えたので、必要な時にだけＩＰアドレスを表示でき、無駄な電力消費を抑えることができる。また、サーバ本体１１を配電盤９内に設置可能としたので、特に宅内に本システム１を導入した場合、サーバー本体１１をデッドスペースに設置して目立たなくすることができる。
【００２２】
尚、本発明は上記実施形態に限定されるものではなく、下記のように、本発明の趣旨を逸脱しない範囲で各部の形状並びに構成を適宜に変更して実施することも可能である。
（１）Ｗｅｂサーバーの設置場所は、配電盤内が望ましいが、他の場所でも良い。
（２）ＩＰアドレス表示部手段は、液晶に限らず、有機ＥＬ等でＩＰアドレスを表示させても良い。
（３）ＩＰアドレス表示手段および表示切替操作手段は、サーバー本体表面に一体的に設けるだけでなく、個々別体に設けても良い。例えば、配電盤の開閉扉を閉じた状態でも見える配電盤の外面に両手段を設ければ、確認の際、開閉の手間を省くことができる。
（４）ＩＰアドレス表示手段は、１０進表記のＩＰアドレスに限らず、ドメイン名を表示するように構成しても良い。この場合、図１のクライアント端末６のような、任意のプロトコルで規定された他のネットワークを介してルータに接続するいわゆるコンピュータ、携帯電話やＰＤＡ等において、これらのユーザーも再接続の対応がし易くなる。
（５）表示切替操作手段は、配電盤の開閉扉を閉じた状態でＩＰアドレス表示手段が確認できるように、開閉扉にＩＰアドレス表示手段と大体同じ大きさの窓を設けて、窓を開けた時に表示するように構成しても良い。
（６）表示切替操作手段は、機械式接点で切替操作するものに限らず、接触または非接触により磁気的或いは電気的に切替操作可能なセンサ等を使用して構成しても良い。
（７）ＩＰアドレス表示手段は、表示切替操作手段の操作に応じて、ＩＰアドレスメモリに記憶されたものを読み出して表示するだけでなく、操作毎に、自己のＩＰアドレスを確認するコマンドを自発的にサーバー制御部のＯＳが実行するように構成し、実行結果から表示させても良い。
【図面の簡単な説明】
【００２３】
【図１】本発明に係るＷｅｂサーバーを使用したＷｅｂページ閲覧システムを示す構成説明図である。
【図２】本発明に係るＷｅｂサーバーの構成説明図である。
【図３】クライアント端末の構成説明図である。
【符号の説明】
【００２４】
１・・システム、３・・Ｗｅｂサーバー、５，６・・クライアント端末、７・・ルータ、９・・配電盤、１１・・サーバー本体、１３・・インターネット、３１・・サーバー側ＬＡＮ−Ｉ／Ｆ、３２・・Ｗｅｂページメモリ、３３・・ＩＰアドレスメモリ、３４・・ＩＰアドレス表示部、３５・・表示切替操作ボタン、３６・・サーバー制御部、５１・・端末制御部、５２・・ユーザー側ＬＡＮ−Ｉ／Ｆ、５３・・ディスプレイ、５４・・周辺機器。
【図１】
2010039541.tif 000003
【図２】
2010039541.tif 000004
【図３】
2010039541.tif 000005